(57)【特許請求の範囲】
【請求項１】
所定の流体を充填した容器を着脱可能に装着するケース体と、
前記ケース体に装着された前記容器内の流体を、吸い上げ管を介して前記容器から吸い上げ、吐出管を介して前記ケース体の外部に吐出するポンプ装置と、
該ポンプ装置を駆動するための駆動機構と、
前記ポンプ装置を前記ケース体の保持板に固定する固定機構であって、前記ポンプ装置に係止され前記保持板の上面に当接する上側固定具と、該上側固定具に下方から係合し前記保持板の下面に当接する下側固定具とを有する固定機構と、
前記ケース体の底部に設けられ、該ケース体に装着された前記容器の底部を支持する底部支持部と、を備え、
前記下側固定具は、前記ケース体に装着された前記容器の上部壁面に密着して容器を下方に付勢し、前記底部支持部との間に容器を保持する可撓性スカート部を有している、
ことを特徴とするディスペンサ。
【請求項２】
前記上側固定具と前記下側固定具とは、前記保持板を挟んで互いに締結固定されることにより、前記ポンプ装置を前記ケース体の保持板に固定する、ことを特徴とする請求項１に記載のディスペンサ。
【請求項３】
前記下側固定具は、前記上側固定具に締結されるネジ部を有する第１アダプタと、該第１アダプタに組み付けられ前記可撓性スカート部を下方に有する第２アダプタとで構成されている、ことを特徴とする請求項２に記載のディスペンサ。
【発明の詳細な説明】
【技術分野】
【０００１】
この発明は、ディスペンサ、より詳しく言えば、例えば薬液や石鹸液等の流体の内容物を充填した容器をケース体に着脱可能に装着して使用するディスペンサに関する。
【背景技術】
【０００２】
従来、例えば薬液や石鹸液等の流体の内容物を充填した容器をケース体に着脱可能に装着し、容器内の流体をポンプ機構で吸い上げ、吐出ノズルから吐出させて使用するようにしたものは、一般に良く知られている（例えば、特許文献１参照）。
【０００３】
このようなディスペンサでは、容器の内容物の補給やその種類の変更を行う場合、容器ごと新たなものと取り替えるのが一般的である。
容器は、通常、給排口部のネジを利用してポンプ機構と結合されているので、ポンプ機構がケース体に組み込まれた構造のディスペンサでは、容器の交換を行う場合、まず、給排口部のネジを螺脱させて使用済みの容器をポンプ機構から取り外す。そして、新たな交換容器の給排口部のネジをポンプ機構のネジ部に螺合させて締め付けることにより、新たな交換容器がポンプ機構に結合された状態でケース体に装着されるようになっている。
【特許文献１】特開平９−４８４７９号公報
【発明の開示】
【発明が解決しようとする課題】
【０００４】
しかしながら、このように、ケース体に組み込まれたポンプ機構のネジ部に容器の給排口部のネジを螺合させ締め付けることで、新たな交換容器を装着する場合には、使用済み容器を取り外す際のネジの螺脱作業、及び交換容器を装着する際のネジの螺合作業に、手間が掛かり煩わしいという難点がある。
【０００５】
また、交換容器をケース体に装着する場合、ケース体の容器装着スペースは限られており、しかも、容器内から流体を吸い上げる吸い上げ管を容器内に挿入しながらケース体に装着する必要があり、また、ポンプ機構のネジ部がケース外部から視認し難い場合も多いので、ポンプ機構のネジ部に容器の給排口部のネジを螺合させる際に、螺合不良が生じたり締め付け不足が生じる場合が少なくない。
【０００６】
このようなネジの螺合不良や締め付け不足が生じると、容器のケース体に安定して保持させることができず、また、ネジ結合部から容器内あるいはポンプ機構に異物が混入したり、場合によっては、容器内の流体が漏れ出るおそれもある。
【０００７】
この発明は、かかる技術的課題に鑑みてなされたもので、容易かつ確実に容器をケース体に装着でき、しかも異物混入や容器内の流体の漏出も有効に防止できる、ディスペンサを提供することを基本的な目的とする。
【課題を解決するための手段】
【０００８】
このため、本願発明に係るディスペンサは、ａ）所定の流体を充填した容器を着脱可能に装着するケース体と、ｂ）該ケース体に装着された容器内の流体を、吸い上げ管を介して当該容器から吸い上げ、吐出管を介して前記ケース体の外部に吐出するポンプ装置と、ｃ）該ポンプ装置を駆動するための駆動機構と、ｄ）ポンプ装置をケース体の保持板に固定する固定機構であって、ポンプ装置に係止され前記保持板の上面に当接する上側固定具と、該上側固定具に下方から係合し保持板の下面に当接する下側固定具とを有する固定機構と、ｅ）前記ケース体の底部に設けられ、該ケース体に装着された容器の底部を支持する底部支持部と、を備え、ｆ）前記下側固定具は、ケース体に装着された容器の上部壁面に密着して容器を下方に付勢し、前記底部支持部との間に容器を保持する可撓性スカート部を有している、ことを特徴としたものである。
【０００９】
この場合において、上側固定具と下側固定具とは、前記保持板を挟んで互いに締結固定されることにより、ポンプ装置をケース体の保持板に固定するようにすることができる。
【００１０】
また、この場合において、前記下側固定具は、好ましくは、上側固定具に締結されるネジ部を有する第１アダプタと、該第１アダプタに組み付けられ可撓性スカート部を下方に有する第２アダプタとで構成されている。
【発明の効果】
【００１１】
本願発明によれば、ポンプ装置は上側固定具と下側固定具とでケース体の保持板に固定され、ケース体に装着された容器は、その上部壁面が、下側固定具の可撓性スカート部により下方に付勢されて、ケース体の底部支持部との間に保持される。
従って、容器を交換する際に、使用済み容器を取り外すためのネジの螺脱作業および交換容器を装着するためのネジの螺合作業は不要であり、容器交換作業を大幅に簡略化することができ、また、容易かつ確実に交換容器をケース体に装着することができる。しかも、前記可撓性スカート部は容器の上部壁面に密着した状態で容器を下方に付勢しているので、容器内あるいはポンプ装置に異物が混入したり容器内の流体が漏れ出ることを、確実に防止することができる。
【００１２】
この場合において、上側固定具と下側固定具とが保持板を挟んで互いに締結固定されてポンプ装置をケース体の保持板に固定することにより、ネジの締結機構を利用して、容易かつ確実にポンプ装置をケース体に固定することができる。
【００１３】
この場合において、前記下側固定具を、上側固定具に締結されるネジ部を有する第１アダプタと、該第１アダプタに組み付けられ前記可撓性スカート部を下方に有する第２アダプタとの２分割構造とすることにより、下側固定具の全体形状が複雑な場合でも比較的容易に製作することができる。また、ネジ部を有する第１アダプタと可撓性スカート部を有する第２アダプタとを、それぞれに要求される特性を備えた異なる材料で構成することもでき、アダプタを製作するに際して、材料選定の自由度を高めることができる。
【発明を実施するための最良の形態】
【００１４】
以下、本発明の実施の形態を、添付図面に基づいて詳細に説明する。
図１は本実施形態に係るディスペンサのケース体および交換容器の全体構成を概略的に示す斜視図、図２はケース体に容器を装着した状態を示す前記ディスペンサの縦断面図、図３は図２のＹ３部分を拡大して示す部分拡大断面図、図４は前記ディスペンサのポンプ装置を保持する保持ブラケットの概略構成を示す斜視図、図５は前記ポンプ装置の断面構造をポンプ非作動状態にて示す縦断面図、また、図６は前記ポンプ装置の断面構造をポンプ駆動状態にて示す縦断面図である。
【００１５】
これらの図に示されるように、本実施形態に係るディスペンサＤは、例えばポンプ装置をマニュアル（手動）で駆動するようにした所謂マニュアル式のもので、例えば石鹸液などの薬液を充填した薬液容器１を、図２に示すように、ケース体１０内に装着して使用される。
【００１６】
前記容器１は、図１から良く分かるように、ボトル状の容器本体２の上端部中央に給排口部８を設けて構成され、合成樹脂材料を用いて、例えばブロー成形法により一体成形されている。容器本体２は、薄肉筒状の胴部３と、該胴部３の下端側を覆って閉じる底部４と、胴部３の上端側を覆い中央に前記給排口部８を備えた上面部５と、該上面部５の周縁およびその近傍を形成する曲面状の肩部６とで構成されている。
本実施形態では、容器本体２の胴部３は矩形筒状に形成されているが、この代わりに例えば円筒状でもよい。また、上面部５は比較的フラットに近い形状であるが、この代わりに、例えば、肩部６を含めて円錐状あるいはドーム状の曲面形状に形成されてもよい。
【００１７】
前記容器１は、ケース体１０に装着されるまでは、容器上端中央の給排口部８の雄ネジ部８ｍにキャップ（不図示）を螺着させた状態で所定の保管場所に保管されており、ケース体１０への装着に際して、前記キャップを給排口部８の雄ネジ部８ｍから螺脱して取り外されるものである。尚、この代わりに、キャップ（不図示）をネジ機構に依らず嵌合構造により容器１の給排口部８に着脱可能に装着するようにしてもよい。また、容器１内に充填される内容物は、石鹸液などの薬液に限られるものではなく、用途に応じて種々の流体が充填して用いられる。
【００１８】
前記ケース体１０は、容器１を収容し得るハウジング部１１と、該ハウジング部１１の上部に取り付けられたカバー部１８とで構成されている。ハウジング部１１の主要部は例えば鋼板をプレス成形して製作され、カバー部１８は例えば合成樹脂材料を用いて例えば射出成形法により製作されている。尚、ハウジング部１１及びカバー部の材料および製作法は、これらに限定されるものではない。
【００１９】
前記ハウジング部１１は、左右一対の互いに平行な側壁１２（図１参照）と、これら側壁１２の上端部どうしを繋ぐ天井部１３と、左右の側壁１２の下端部どうしを繋ぐ底壁部１４とを備え、左右の側壁１２間に容器１を収容する収容スペース１１ｓが形成されている。この収容スペース１１ｓの片側および片側下方が開口しており、この開口１１ｈから収容スペース１１ｓ内に容器１が挿入されるようになっている。尚、本明細書では、容器１を挿入させる側（図２，図５，図６における左側）をケース体１０又はハウジング部１１の「前側」と称することとする。
【００２０】
図３に詳しく示すように、前記底壁部１４の前端には、上方へ所定高さだけ突出する突起部１４ｐが設けられている。容器１の底部４の周縁部分には、所定の曲率で湾曲した湾曲縁部４ａが形成され、この湾曲縁部４ａの内側から容器底部４の中央部分に向かってなだらかな曲面状の傾斜部４ｂが設けられている。容器１をハウジング部１１内に装着する際には、湾曲縁部４ａが底壁部１４の前記突起部１４ｐを乗り越え、曲面状の傾斜部４ｂが突起部１４ｐに乗り上げた状態で、容器１の底部４がハウジング部１１の底壁部１４上に支持される。このように、容器底部４の湾曲縁部４ａがハウジング部１１の底壁部１４の前記突起部１４ｐを乗り越えた状態で、容器１がハウジング部１１に装着されているので、容器底部４がハウジング部１１の底壁部１４から不用意に脱落することはない。
【００２１】
前記底壁部１４の後部には、開口１１ｈと対向する背面板１５が、例えば底壁部１４と一体に設けられている。そして、収容スペース１１ｓ内に挿入されて来た容器１は、その底部４がケース体１０の底壁部１４上に支持されて上下方向の位置が定まり、胴部３の比較的下部が背面板１５に当て止められて前後方向の位置が定まるようになっている。尚、この背面板１５の上方には、ケース体１０を例えば縦壁（不図示）に取り付ける場合に使用される取付板１６（図２参照）が、必要に応じて組み付けられる。
【００２２】
また、ハウジング部１１の比較的上部の上下方向における適所には、ポンプ装置３０を保持するための保持ブラケット２０が固定されている。該保持ブラケット２０は、図４に示されるように、平面視で略Ｕ字状のスロット部２１ｋを有するベース板２１と、該ベース板２１の側端部から上方に延びる左右一対の側板２２と、これら側板２２の前端部どうしを繋ぐ前板２３とで構成され、左右の側板２２がそれぞれハウジング部１１の左右の側壁１２に例えばネジ止めされることにより、ベース板２１が略水平に向けられた状態で、保持ブラケット２０がハウジング部１１に固定されている。
【００２３】
前記ポンプ装置３０は、図５及び図６により詳しく示されるように、筒状本体３１と、該筒状本体３１のポンプ室３１ｓ内に収納されたボール状の弁体３２及びコイルバネ３３と、該コイルバネ３３で上方に付勢され筒状本体３１に対してスライド動作する駆動軸３４とを備え、該駆動軸３４の上端に設けられたヘッド部３５を、駆動レバー４１のローラ部４２で押下することにより（図６参照）、駆動軸３４を下方にスライドさせてポンプ装置３０を駆動し、ポンプ室３１ｓ内に貯えられた一定量の流体を吐出させるものである。
【００２４】
前記ポンプ本体３１の下端部には、容器１内の薬液をポンプ室３１ｓ内に吸い上げるための吸い上げ管４８が結合されている。この吸い上げ管４８は、容器１をケース体１０に装着する際の作業性を確保・向上させるために、より好ましくは、弾性に富む材料で製作され、十分な可撓性を有している。
【００２５】
一方、前記ヘッド部３５の側部には、ポンプ室３１ｓ内に貯えられた薬液を吐出するための吐出管４６が結合されており、該吐出管４６の先端にはノズル部４７が組み込まれている。尚、この吐出管４６のノズル部４７は、カバー部１８に設けた孔部からカバー部１８の外方に臨んでいる。また、前記駆動レバー４１は、カバー部１８に設けた孔部からカバー部１８の外方に突き出るように伸長している。
【００２６】
前記駆動レバー４１の端末部は、ケース体１０のハウジング部１１の後部上端付近の枢支部４３で回動自在に支持されており、図５に示す待機状態（ポンプ非駆動状態）から、ユーザが駆動レバー４１を前下方に向かって回動させることにより、図６に示されるように、駆動レバー４１に取り付けられたローラ部４２が下方へ移動し、前記ヘッド部３５を押下する。これにより、ヘッド部３５に結合された吐出管４６の先端ノズル部４７から、一定量の薬液が吐出される。
【００２７】
この後、ユーザが駆動レバー４１から手を離して該駆動レバー４１を解放すると、コイルバネ３３の付勢力によって駆動軸３４が上方へスライドし、元の待機状態（図５参照）に戻る。このとき、容器１内の圧力とポンプ室３１ｓ内の圧力差によってボール状の弁体３２が浮動し、筒状本体３１の下端部に結合された吸い上げ管４８を介して、容器１内の薬液が吸い上げられ、ポンプ室３１ｓの容積に応じて一定量の薬液がポンプ室３１ｓ内に貯えられるようになっている。
尚、かかる構成のポンプ装置３０は、マニュアル式のポンプ装置として従来公知のものであるので、その構造および作動について、これ以上の説明は省略する。
【００２８】
ポンプ装置３０の筒状本体３１には、環状のブッシュ３７が例えばネジ機構を用いて固定され、該ブッシュ３７と、その下方に位置する筒状本体３１の鍔部３１ｂとの間に、環状のキャップ３８の上面部３８ｂが脱落不能に係止されている。該キャップ３８の環状部分３８ａの内面には雌ネジ部３８ｎが螺設されている。キャップ３８の環状部分３８ａの下端面は、前述の保持ブラケット２０のベース板２１に形成されたスロット部２１ｋの幅よりも大径に形成され、該ベース板２１の上面に当接し得るようになっている。
【００２９】
本実施形態に係るディスペンサＤは、ポンプ装置３０を保持ブラケット２０に固定するアダプタ５０を備えている。次に、このアダプタ５０の構造および作用を説明する。
図７は前記アダプタの概略構成を示す分解斜視図、図８はアダプタの組立状態を示す全体斜視図である。また、図９は容器装着直前におけるアダプタの断面構造を示す部分断面図、図１０は容器装着状態におけるアダプタの断面構造を示す部分断面図である。
【００３０】
図７から良く分かるように、前記アダプタは、好ましくは２分割構造とされ、上部に雄ネジ部５３ｍを有する第１アダプタ５１と、該第１アダプタ５１の下部に組み付けられる第２アダプタ５６とで構成されている。
第１アダプタ５１は、好ましくは合成樹脂材料を用いて一体成形されており、より大径の下部円筒部５２とより小径の上部円筒部５３とで構成され、この上部円筒部５３の外周部に前記雄ネジ部５３ｍが螺設されている。この雄ネジ部５３ｍは、ポンプ装置３０の前記キャップ３８の環状部分３８ａの内面に形成された雌ネジ部３８ｎと螺合するものである。
【００３１】
また、上部円筒部５３の外径寸法は、前述の保持ブラケット２０のベース板２１に形成されたスロット部２１ｋの幅よりも小さく設定され、一方、下部円筒部５２の環状の上端面の外径寸法は、前記スロット部２１ｋの幅よりも大きく設定されている。従って、上部円筒部５３を下方からスロット部２１ｋを挿通させた状態で、下部円筒部５２の環状の上端面が保持ブラケット２０のベース板２１の下面に当接し得るようになっている。
【００３２】
前記第２アダプタ５６は、第１アダプタ５１の下部円筒部５２の外周面に嵌合する内周面を有する筒状部５７と、該筒状部５７の下端から拡径するように下方に広がるスカート部５８とで構成されている。第２アダプタ５６は、例えばゴム或いは軟質樹脂等の弾性に富む材料で製作されており、前記スカート部５８は十分な可撓性とシール特性とを有している。
【００３３】
筒状部５７の上端内側には、環状の係止鍔部５７ｂが一体に形成されており、この係止鍔部５７ｂを、第１アダプタ５１の下部円筒部５２の外周上部に設けられた環状の溝部５２ｇに嵌合させることにより、第２アダプタ５６が第１アダプタ５１と一体的に組み立てられる。
【００３４】
このように、ポンプ装置３０を保持ブラケット２０に固定するアダプタ５０を、ポンプ装置３０のキャップ３８に締結される雄ネジ部５３ｍを有する第１アダプタ５１と、該第１アダプタ５１に組み付けられ可撓性スカート部５８を下方に有する第２アダプタ５６とに、２分割して構成することにより、全体としては複雑形状のアダプタ５０を比較的容易に製作することができる。また、ネジ部５３ｍを有する第１アダプタ５１と可撓性スカート部５８を有する第２アダプタ５６とを、それぞれに要求される特性を備えた異なる材料で製作することができ、アダプタ５０を製作するに際して、材料選定の自由度を高めることができる。尚、アダプタを２分割構造とせずに一体成形することも可能である。
【００３５】
ポンプ装置３０をケース体１０のハウジング部１１に固定する際には、ポンプ装置３０の筒状本体部３１及び吸い上げ管４８を、ケース体１０に固定した保持ブラケット２０のベース板２１に形成されたスロット部２１ｋに挿通させ、ポンプ装置３０の前記キャップ３８の環状部分３８ａの下端面が前記ベース板２１の上面側に位置する状態で、アダプタ５０の（つまり第１アダプタ５１の）上部円筒部５３をスロット部２１ｋに下方から挿通させ、該上部円筒部５３の雄ネジ部５３ｍを前記キャップ３８の環状部分３８ａの内面に形成された雌ネジ部３８ｎと螺合させて締め付ける（図５，図６参照）。
【００３６】
これにより、前記キャップ３８の環状部分３８ａの下端面が前記ベース板２１の上面に当接し、且つ、アダプタ５０の（つまり第１アダプタ５１の）上部円筒部５３の環状の上端面がベース板２１の下面に当接した状態で、キャップ３８とアダプタ５０とが、保持ブラケット２０のベース板２１を挟んで互いに締結固定され、ポンプ装置３０がベース板２１に固定される。
このようにして、ポンプ装置３０をベース板２１に固定することにより、ネジの締結機構を利用して、容易かつ確実にポンプ装置３０をケース体１０に固定することができる。
【００３７】
以上のように構成されたディスペンサＤにおいて、薬液を充填した前記容器１をケース体１０に装着する際には、図１に示されるように、給排口部８のキャップを取り外した状態の容器１を若干傾けながら、給排口部８から吸い上げ管４８を容器１内に挿入させ、ケース体１０のハウジング部１１の収容スペース１１ｓの前側および前側下方に形成された開口１１ｈから、収容スペース１１ｓ内に容器１を挿入して行く。このとき、容器１の胴部３がケース体１０の背面板１５に略沿うようにして容器を上方へ挿入することにより、容器１の給排口部８がアダプタ５０と（つまり第２アダプタ５６と）略同軸を保つようにして容器１が上動する（図９参照）。
【００３８】
そして、容器１の底部４がケース体１０の底壁部１４上に支持されて上下方向に位置決めされ、胴部３の比較的下部が背面板１５に当て止められて前後方向に位置決めされることにより、従来のようにネジ締結作業を行う必要無しに、容器１がケース体１０のハウジング部１１内に装着される。
【００３９】
このとき、図１０に示すように、アダプタ５０の（つまり第２アダプタ５６の）スカート部５８は、好ましくは、その先端部およびその近傍部分が容器１の肩部６或いは上面部５の壁面に密着するように撓む（弾性変形する）。そして、この撓み量に応じた弾性力で容器１が下方に付勢され、ケース体１０の前記底壁部１４との間に、一定の付勢力をもって容器１が保持されるようになっている。
【００４０】
このとき、スカート部５８の撓み量が（つまり弾性力が）所望の好適な範囲内の値になるように、スカート部５８の弾性特性および容器１の上下方向寸法に応じて、保持ブラケット２０のベース板２１の下面と、ケース体１０の底壁部１４の上面との間隔Ｌｓが好適に設定されている。
【００４１】
以上、説明したように、本実施形態よれば、ポンプ装置３０はキャップ３８とアダプタ５０とでケース体１０の保持ブラケット２０のベース板２１に固定され、ケース体１０に装着された容器１は、その上部（肩部６或いは上面部５）の壁面が、アダプタ５０の可撓性スカート部５８により下方に付勢されて、ケース体１０の底壁部１４との間に保持される。
【００４２】
従って、容器１を交換する際に、使用済み容器を取り外すためのネジの螺脱作業および交換容器を装着するためのネジの螺合作業は不要であり、容器交換作業を大幅に簡略化することができる。また、容易かつ確実に交換容器１をケース体１０に装着することができる。しかも、前記可撓性スカート部５８は容器の上部（肩部６或いは上面部５）の壁面に密着した状態で容器１を下方に付勢しているので、容器１内またはポンプ装置３０に異物が混入したり容器１内の流体が漏れ出ることを、確実に防止することができるのである。
【００４３】
尚、本発明は、以上の実施形態に限定されるものではなく、その要旨を逸脱しない範囲内において、変更および改良等がなされるものであることは、いうまでもない。
【産業上の利用可能性】
【００４４】
本発明は、ディスペンサに関し、容易かつ確実に容器をケース体に装着でき、しかも異物混入や容器内の流体の漏出も有効に防止でき、例えば薬液や石鹸液等の流体の内容物を充填した容器をケース体に着脱可能に装着して使用するディスペンサとして、有効に利用することができる。
【図面の簡単な説明】
【００４５】
【図１】本発明の実施形態に係るディスペンサのケース体および交換容器の全体構成を概略的に示す斜視図である。
【図２】ケース体に容器を装着した状態を示す前記ディスペンサの縦断面図である。
【図３】図２のＹ３部分を拡大して示す部分拡大断面図である。
【図４】前記ディスペンサのポンプ装置を保持する保持ブラケットの概略構成を示す斜視図である。
【図５】前記ディスペンサのポンプ装置の断面構造をポンプ非作動状態にて示す縦断面図である。
【図６】前記ポンプ装置の断面構造をポンプ駆動状態にて示す縦断面図である。
【図７】前記ディスペンサのアダプタの概略構成を示す分解斜視図である。
【図８】前記アダプタの組立状態を示す全体斜視図である。
【図９】容器装着直前における前記アダプタの断面構造を示す部分断面図である。
【図１０】容器装着状態における前記アダプタの断面構造を示す部分断面図である。
【符号の説明】
【００４６】
１  容器
２  容器本体
３  胴部
４  底部
５  上面部
６  肩部
８  給排口部
１０  ケース体
１１  ハウジング部
１４底壁部
２０  保持ブラケット
２１  ベース板
３０  ポンプ装置
３１  筒状本体
３４  駆動軸
３５  ヘッド部
３８  キャップ
４１  駆動レバー
４２  ローラ部
４６  吐出管
４８  吸い上げ管
５０  アダプタ
５１  第１アダプタ
５３  上部円筒部
５３ｍ  雄ネジ部
５６  第２アダプタ
５８  スカート部
Ｄ  ディスペンサ
【図１】
0005160964.tif 000002
【図２】
0005160964.tif 000003
【図３】
0005160964.tif 000004
【図４】
0005160964.tif 000005
【図５】
0005160964.tif 000006
【図６】
0005160964.tif 000007
【図７】
0005160964.tif 000008
【図８】
0005160964.tif 000009
【図９】
0005160964.tif 000010
【図１０】
0005160964.tif 000011